(57)【特許請求の範囲】
【請求項１】
バットレス部に、タイヤ幅方向に延びてタイヤ周方向に間隔をあけて形成された複数の横溝と、前記横溝によって区画された複数のショルダーブロックと、タイヤ周方向に断続的に形成された複数の周方向溝とを備え、
前記複数の周方向溝の底面にはそれぞれ、タイヤ周方向に延び、前記周方向溝のタイヤ周方向長さの５０％以上の長さを有する突条が突設されており、
前記周方向溝及び前記突条はそれぞれ、タイヤ周方向に隣り合う前記ショルダーブロックに跨がって形成されていることを特徴とする空気入りタイヤ。
【請求項２】
前記複数の周方向溝のうち、タイヤ周方向に隣り合う前記周方向溝は、タイヤ幅方向から見て、オーバーラップしないように配置されていることを特徴とする請求項１に記載の空気入りタイヤ。
【請求項３】
前記突条は、タイヤ周方向に対して傾斜していることを特徴とする請求項１又は２に記載の空気入りタイヤ。
【請求項４】
前記突条は、タイヤ周方向に横断面積を相違させていることを特徴とする請求項１から３のいずれか１項に記載の空気入りタイヤ。
【請求項５】
前記突条は、断面三角形であり、その頂点が前記バットレス部の表面と同一面上に位置していることを特徴とする請求項１から４のいずれか１項に記載の空気入りタイヤ。
【請求項６】
前記周方向溝のタイヤ径方向の幅は、タイヤ周方向の片側に向かうに従って狭くなっていることを特徴とする請求項１から５のいずれか１項に記載の空気入りタイヤ。
【発明の詳細な説明】
【技術分野】
【０００１】
本発明は、空気入りタイヤに関するものである。
【背景技術】
【０００２】
従来、空気入りタイヤとして、バットレス部に第１傾斜面と第２傾斜面とによって構成される凹凸部を複数設けた構成が公知である（例えば、特許文献１参照）。
また他の空気入りタイヤとして、バットレス部にタイヤ周方向に延びる凸状のプロテクタを形成した構成が公知である（例えば、特許文献２参照）。
さらに他の空気入りタイヤとして、タイヤの赤道に沿って延びる複数の周溝を有する構成が公知である（例えば、特許文献３参照）。
【０００３】
しかしながら、前記いずれの構成であっても、乗り心地を改善することを目的とするものではない。また、特許文献１及び２は溝状ではなく、表面形状に特徴があるものである。特許文献３は溝状とすることによる不具合、すなわち溝を深く形成することにより経年劣化でクラックが発生することを防止できる構成ではない。
【先行技術文献】
【特許文献】
【０００４】
【特許文献１】特開２０１０−１３２０４５号公報
【特許文献２】特開２００６−２５６４３３号公報
【特許文献３】特開２００１−２２５６０９号公報
【発明の概要】
【発明が解決しようとする課題】
【０００５】
本発明は、乗り心地を改善しつつ耐久性に優れた空気入りタイヤを提供することを課題とする。
【課題を解決するための手段】
【０００６】
本発明は、前記課題を解決するための手段として、バットレス部に、タイヤ幅方向に延びてタイヤ周方向に間隔をあけて形成された複数の横溝と、前記横溝によって区画された複数のショルダーブロックと、タイヤ周方向に断続的に形成された複数の周方向溝とを備え、前記複数の周方向溝の底面にはそれぞれ、タイヤ周方向に延び、前記周方向溝のタイヤ周方向長さの５０％以上の長さを有する突条が突設されており、前記周方向溝及び前記突条はそれぞれ、タイヤ周方向に隣り合う前記ショルダーブロックに跨がって形成されていることを特徴とする空気入りタイヤを提供する。
【０００７】
この構成により、周方向溝が凹凸のある路面を走行した際の接地面の変形を吸収して乗り心地を改善する。また周方向溝内に形成した突条が周方向溝の変形に伴う応力集中を緩和して所望の耐久性を発揮する。突条がタイヤ周方向に隣り合うショルダーブロックに跨がって形成されているため、タイヤ周方向の剛性を高めて耐久性を向上させることができる。
【０００８】
前記複数の周方向溝のうち、タイヤ周方向に隣り合う前記周方向溝は、タイヤ幅方向から見て、オーバーラップしないように配置されているのが好ましい。
【０００９】
この構成により、タイヤ周方向で剛性が大きく変化することがなくなる。
【００１０】
前記突条は、タイヤ周方向に対して傾斜しているのが好ましい。
【００１１】
この構成により、タイヤ周方向の同一円周上に突条が位置しないため、応力集中することを防止して耐久性に優れたものとすることができる。
【００１２】
前記突条は、タイヤ周方向に横断面積を相違させているのが好ましい。
【００１３】
この構成により、タイヤ周方向に於ける突条での応力集中を緩和することにより耐久性を向上させることができる。
【００１４】
前記突条は、断面三角形であり、その頂点が前記バットレス部の表面と同一面上に位置しているのが好ましい。
【００１５】
この構成により、周方向溝が少なくともタイヤ周方向の５０％以上で２列に形成されたのと同様な状態とすることができる。この結果、バットレス部の表面から突出して損傷しやすくなることを回避しつつ、剛性を高めることができる。
【００１６】
前記周方向溝のタイヤ径方向の幅は、タイヤ周方向の片側に向かうに従って狭くなっているのが好ましい。
【発明の効果】
【００１８】
本発明によれば、周方向溝内に突条を形成するようにしたので、乗り心地を改善しつつ耐久性を向上させることができる。
【図面の簡単な説明】
【００１９】
【図１】本実施形態に係る空気入りタイヤのトレッド部の一部を示す展開図である。
【図２】図１の部分拡大斜視図である。
【図３】図１のショルダー部の部分拡大図である。
【図４】図３の周方向溝を示す部分断面図である。
【図５】他の実施形態に係るショルダー部の部分拡大図である。
【図６】図５の周方向溝を示す部分断面図である。
【図７】他の実施形態に係るショルダー部の部分拡大図である。
【図８】他の実施形態に係るショルダー部の部分拡大図である。
【図９】（ａ）〜（ｄ）は他の実施形態に係る周方向溝及び突条を示す部分断面図である。
【発明を実施するための形態】
【００２０】
以下、本発明に係る実施形態を添付図面に従って説明する。なお、以下の説明は、本質的に例示に過ぎず、本発明、その適用物、あるいは、その用途を制限することを意図するものではない。
【００２１】
図１は、本実施形態に係る空気入りタイヤのトレッド部１を示す展開図である。この空気入りタイヤは、図示しないが、一対のビードコア間にカーカスを掛け渡し、カーカスの中間部の外周側に巻き付けたベルトによって補強し、そのタイヤ外径方向にトレッド部１を有する構成である。トレッド部１は、タイヤ幅方向の中央部分を占めるセンター領域２と、その両側のメディエイト領域３と、トレッド部１の両側のショルダー領域４とで構成されている。
【００２２】
センター領域２には、タイヤ周方向に連続して延びるリブ５（図１中、実線ハッチングで示す）が形成されている。リブ５には、タイヤ周方向に沿って一定間隔で複数の凹部６が形成されている。凹部６は、展開視で、タイヤ周方向の一端（踏込）側の頂点から他端（蹴出）側に向かって徐々に幅寸法が大きくなる矢尻状に形成されている。
【００２３】
図２も併せて参照すると、凹部６の底面は、タイヤ中心線を挟んだ両側の傾斜面７ａ，７ｂで構成されている。傾斜面７ａ，７ｂの斜辺に相当する部分（傾斜部）が最も深く、中心線が蹴出側に向かって徐々にトレッド面に近付いている。これにより、凹部６に回収された水を一対の傾斜面７ａ，７ｂによってスムーズに左右に振り分けて排出することができる。
【００２４】
凹部６の蹴出側の開口端縁部は略Ｖ字形をなすように、中心線からタイヤ周方向蹴出側に向かって徐々にタイヤ幅方向に延びている。これにより、タイヤ周方向に隣り合う凹部６の頂点側に尖った、すなわちタイヤ周方向の踏込側から蹴出側に向かって幅寸法が徐々に大きくなった先端部８が形成される。この先端部８は、タイヤが路面に当接する際、路面の水を左右に掻き分け、排水性を向上させる役割を果たす。
【００２５】
凹部６の一方の傾斜部に沿って溝部（副主溝９）が形成されている。この副主溝９は、凹部６を超えてタイヤ周方向の蹴出側に向かってタイヤ幅方向に斜めに延びている。各凹部６からの副主溝９の延長方向は、タイヤ周方向に隣り合う凹部６の間で、タイヤ中心線を挟んで丁度反対側とされている。つまり、タイヤ周方向に順次並設される各凹部６から延びる副主溝９は、タイヤ幅方向の一方（右側）と他方（左側）とに交互に延長方向が相違している。また、副主溝９の幅寸法は、延長方向に向かうに従って徐々に大きくなっている。これにより、副主溝９内に流入した水は流動抵抗を受けにくくなり、スムーズに踏込側から蹴出側へと流動する。
【００２６】
副主溝９には、凹部６の近傍部分でさらにタイヤ側方へと延びる第１横溝１０が連通し、副主溝９の終端部は後述する主溝２４に接続されている。
【００２７】
第１横溝１０は、後述するように、メディエイトブロック１８の側面と、リブ側の第１傾斜面１６とで構成されている。第１横溝１０は、先端に向かうに従って徐々に幅寸法が小さくなるように形成されている。そして、第１横溝１０は、最も幅寸法の小さくなった第１幅狭部１１を介して周方向に隣り合う副主溝９の終端部分に連通している。副主溝９から分岐した第１横溝１０を設けることで、副主溝９のみからなる場合に比べて排水性を高めることができる。また第１横溝１０の幅寸法を徐々に小さくすることにより第１幅狭部１１を通過する際の流速を高め、副主溝側への流出速度を上昇させることができる。これにより、幅寸法が大きくなった副主溝９を流動する水の流速低下を補って第２横溝２５へと流入させることが可能となる。
【００２８】
副主溝９の後端部は、前記第１横溝１０と同様に、先端に向かうに従って徐々に幅寸法が小さくなり、最も幅寸法の小さくなった第２幅狭部１２を介して主溝２４に連通している。副主溝９の後端部の幅寸法を徐々に小さくすることにより、主溝２４内に高速で水を流出させることができるようになっている。これにより、主溝２４での水の流れを促進して排水性を高めることが可能となる。また、副主溝９の後端部と主溝２４との連通位置と、第１横溝１０が連通する位置とはほぼ同一直線上に位置するように配置されている。これにより、流速をより効果的に高めて排水性を向上させることができる。
【００２９】
このように、リブ５は、凹部６、副主溝９及び第１横溝１０により、両側に延びる第１傾斜リブ部１３と第２傾斜リブ部１４とを備えた構成となっている。第１傾斜リブ部１３は、先端が第１横溝１０と副主溝９とによって三角形状に尖った三角部１５を構成している。三角部１５は、第１横溝１０の一部を構成する第１傾斜面１６と、主溝２４側の第２傾斜面１７とを備える。これにより、三角部１５の剛性を高めることができる。
【００３０】
メディエイト領域３には、タイヤ周方向に複数のメディエイトブロック１８が並設されている。各メディエイトブロック１８は、副主溝９、第１横溝１０及び主溝２４によって形成されている。
【００３１】
メディエイトブロック１８には、副主溝９から第１テーパ部１９及び第２テーパ部２０がそれぞれ形成されている。第１テーパ部１９及び第２テーパ部２０は、副主溝９から離れるに従って徐々に幅が狭く、深さが浅くなるように形成されている。また第１テーパ部１９及び第２テーパ部２０のタイヤ幅方向の長さは、メディエイトブロック１８の同方向の長さの３０％以上で、その先端がメディエイトブロック１８内で終端するように設定されている。第１テーパ部１９及び第２テーパ部２０を形成することにより、メディエイトブロック１８の大型化を実現しつつ、体積の増大を抑えて走行時の発熱を抑制することができる。メディエイトブロック１８を大型化することで、コーナリング性能（コーナリングパワー：ＣＰ）を高めることができる。また第１テーパ部１９及び第２テーパ部２０によってメディエイトブロック１８の表面積を増大させ、放熱性を高めることも可能となる。
【００３２】
メディエイトブロック１８では、第１テーパ部１９と第２テーパ部２０の先端同士が第３テーパ部２１によって接続されている。第３テーパ部２１を形成することにより、メディエイトブロック１８の剛性を高めつつ、体積を抑制して発熱しにくくすると共に、表面積を増大させて発熱しやすくすることができる。つまり、高速耐久性を向上させることが可能となる。
【００３３】
また、メディエイトブロック１８では、第２テーパ部２０に交差してサイプ２２が形成されている。ここでは、サイプ２２とは幅寸法が１．５ｍｍ以下の溝を意味する。サイプ２２は、副主溝９と主溝２４とを連通し、メディエイトブロック１８をタイヤ周方向に２分する。サイプ２２の働きにより、剛性を低下させることなくパターンノイズの発生を抑制することができる。すなわち、サイプ２２がないと、メディエイトブロック１８の踏込側の縁が路面に衝突する時点でのみノイズが発生するが、このノイズはメディエイトブロック１８の全体が影響し、人にとって耳障りな低周波のノイズとなる。サイプ２２を設けることにより、メディエイトブロック１８をタイヤ周方向に２分割することができるので、路面への衝突時に発生するノイズは分割されることにより小さくなったブロック単位での比較的高周波の複数（２つ）のノイズとなる。したがって、人が聞いてもそれほど不快感を受けることがなくなる。
【００３４】
ショルダー領域４には、タイヤ周方向に複数のショルダーブロック２３が並設されている。各ショルダーブロック２３は、タイヤ周方向に延びる両側のジグザグ状の主溝２４と、これに交差するようにタイヤ幅方向に延びる第２横溝２５とによって形成されている。ショルダーブロック２３の表面中央部には、タイヤ幅方向に延びる細溝２６が形成されている。
【００３５】
ショルダーブロック２３のバットレス部２７には、タイヤ周方向に隣り合う一対の第２横溝２５を超えて、これらを連通するように周方向溝２８が形成されている。ここに、バットレス部２７とは、タイヤの接地端からタイヤ最大幅の位置までの領域を意味する。周方向溝２８の底面には断面三角形の山型に盛り上がった突条２９が形成されている。突条２９は、中心線上に位置する最も高い部分が丁度、バットレス部２７の表面と同じ位置となっている。また凹部６の底面と側面との境界部分と、底面と突条２９の傾斜面７ａ，７ｂとの境界部分とは、Ｒ面取りされている。このように、周方向溝２８でタイヤ周方向に隣り合う第２横溝２５を超えて、これらを突条２９が形成された周方向溝２８で接続するようにしたので、タイヤ周方向に隣接するショルダーブロック２３間の剛性を高めることが可能となる。
【００３６】
周方向溝２８は、タイヤ周方向に対して傾斜して設けられている。また周方向溝２８は、傾斜方向に向かうに従って徐々に幅狭となるように形成されている。このように、周方向溝２８をタイヤ周方向の同一円周上に位置しないようにしたため、応力集中を阻止し、クラック等の発生を防止することが可能となる。
【００３７】
タイヤ周方向に隣り合う周方向溝同士は、タイヤ幅方向に見たとき、オーバーラップしないように配置されている。周方向溝２８がオーバーラップしている部分があると剛性の変動が大きくなるため、これを回避している。
【００３８】
前記構成のトレッド部１を備えた空気入りタイヤで路面を走行した場合、ある瞬間での接地範囲は、図１中、点線で示す範囲となる。つまり、センター領域２、メディエイト領域３及びショルダー領域４の一部が接地範囲となる。センター領域２では、タイヤ周方向に連続するリブ５が形成されているため、左右に枝分かれした第１傾斜リブ部１３と第２傾斜リブ部１４とを有する構成であるにも拘わらず、剛性が高く、良好な路面追従性と制動性を発揮する。
【００３９】
また凹部６の底面を、リブ５の中心線に対して両側に向かってそれぞれ深くなる一対の傾斜面７で構成することにより、排水性を向上させることができる。センター領域２に侵入した水は、傾斜面７によって確実に左右に流動させることができ、副主溝９によって確実に主溝２４へと導くことができる。
【００４０】
なお、本発明は、前記実施形態に記載された構成に限定されるものではなく、種々の変更が可能である。
【００４１】
前記実施形態では、周方向溝２８内に１列で突条２９を設けるようにしたが、複数列で設けるようにしてもよい。例えば、図５及び図６に示すように、周方向溝２８内に３列で突条２９ａ，２９ｂ，２９ｃを設けるようにしてもよい。各突条２９ａ，２９ｂ，２９ｃは、タイヤ周方向の一端（踏込）側から他端（蹴出）側に向かって幅寸法が小さくなると共に、タイヤ周方向に対して傾斜するように形成されている。
【００４２】
前記実施形態では、２つの第２横溝２５に跨がって３つのショルダーブロック２３に連なるようにして１つの突条２８を形成するようにしたが、次のようにしてもよい。図７では、１つの第２横溝２５を介して２つのショルダーブロック２３に連なるようにして１つの突条２８をそれぞれ設けるようにしている。図８では、３つの第２横溝２５に跨がって４つのショルダーブロック２３に連なるようにして１つの突条２８を設けるようにしている。
【００４３】
前記実施形態では、周方向溝２８を図４に示す断面形状としたが、図９（ａ）〜（ｄ）に示すような断面形状としてもよい。図９（ａ）では、突条２９は円弧状に突出する断面形状となっている。図９（ｂ）では、突条２９は一方から他方に向かって傾斜した単一の傾斜面のみを有する断面形状となっている。このため、周方向溝２８内に形成される窪みは左右でアンバランスとなる。図９（ｃ）では、突条２９はＶ字状に中央部分で窪んだ断面形状となっている。図９（ｄ）では、突条２９は、円弧状に中央部分で窪んだ断面形状となっている。
【符号の説明】
【００４４】
１…トレッド部
２…センター領域
３…メディエイト領域
４…ショルダー領域
５…リブ
６…凹部
７ａ，７ｂ…傾斜面
８…先端部
９…副主溝
１０…第１横溝
１１…第１幅狭部
１２…第２幅狭部
１３…第１傾斜リブ部
１４…第２傾斜リブ部
１５…三角部
１６…第１傾斜面
１７…第２傾斜面
１８…メディエイトブロック
１９…第１テーパ部
２０…第２テーパ部
２１…第３テーパ部
２２…サイプ
２３…ショルダーブロック
２４…主溝
２５…第２横溝
２６…細溝
２７…バットレス部
２８…周方向溝
２９…突条
【図１】
0006612585.tif 000002
【図２】
0006612585.tif 000003
【図３】
0006612585.tif 000004
【図４】
0006612585.tif 000005
【図５】
0006612585.tif 000006
【図６】
0006612585.tif 000007
【図７】
0006612585.tif 000008
【図８】
0006612585.tif 000009
【図９】
0006612585.tif 000010